(57)【要約】      （修正有）【課題】カバンなどが窃盗されたとき、容易に周囲の人に異常を気付いてもらい救助を求めたり知らせたりする防犯用品を提供する。【解決手段】音花火発射口が形成された本体にカバンなどの物品と接続する取付け具１ｆを設け、前期本体には警報発生器２と前記警報発生器２の発音動作の電源となる電池１と前記電池１をオンする閉じスイッチ２ｄを収納するとともに音花火発射口に対向した位置に音花火２ａを収容した防犯用品であって、音花火２ａを炸裂させるとともに前記閉じスイッチ２ｄをオンさせる操作子１ｅを本体に設けている。【選択図】図４
0003137547.tif 000002
【実用新案登録請求の範囲】
【請求項１】
音花火発射口が形成された本体に物品と接続する取付け金具を設け、前記本体には警報発生器と前記警報発生器の発音動作の電源となる電池と前記電源をオンする閉じスイッチを収納するとともに音花火発射口の位置に音花火を収容した防犯用品であって、音花火を炸裂させるとともに前記閉じスイッチをオンさせる操作子を本体に設けたことを特徴とする防犯用品。
【請求項２】
前記操作子は巻き取り自在な紐を有し、前記紐を介して音花火を炸裂させるとともに前記閉じスイッチをオンさせることを特徴とする請求項１記載の防犯用品。
【請求項３】
前記警報発生器の電源となる電池の接続状態をオンオフする開閉スイッチを本体に設けたことを特徴とする請求項１または請求項２記載の防犯用品。
【考案の詳細な説明】
【技術分野】
【０００１】本考案は、本体に警報発生器と音花火を収容した防犯用品に関するものである。
【背景技術】
【０００２】通常、警報発生器や置き引き防止などの防犯用品は今までにも多く出回っており、警報音だけで犯罪抑止力を持たせていた。【０００３】例えば、特許文献１に記載のように、ハンドバッグに結合した防犯ブザーに閃光発光機能を付与することにより、一種の攻撃的な護身と位置を確認させる機能を付与した携帯用防犯ブザーが提案されている。【０００４】また、特許文献２に記載のように、ふだんはカバン、ハンドバックの外に紐で吊り下げておき、非常の場合これを引っ張ると、ブザーが鳴り出すように構成した形態防犯ブザーが提案されている。【０００５】
【特許文献１】実用平０７−０１４４９４号公報
【特許文献２】実用平０７−００２７９１号公報
【考案の開示】
【考案が解決しようとする課題】
【０００６】しかし、上記何れの提案も閃光発光や警報音だけであり、これのみでは周囲の人に容易に異常事態を気付いてもらえない可能性があるという問題点がある。【０００７】本考案者は上記問題点を解消し、容易に周囲の人に異常を気付いてもらい救助を求めたり知らせたりする防犯用品を提供することを目的とする。
【課題を解決するための手段】
【０００８】上記の課題を達成するために、本考案の防犯用品は音花火発射口が形成された本体にカバンなどの物品と接続する取付け具を設け、前記本体には警報発生器と前記警報発生器の発音動作の電源となる電池と前記電池をオンする閉じスイッチを収納するとともに音花火発射口に対向した位置に音花火を収納した防犯用品であって、音花火を炸裂させるとともに前記閉じスイッチをオンさせる操作子を本体に設けたことを特徴とする。【０００９】さらに、本考案の防犯用品において、前記操作子は巻き取り自在な紐を有し、前記紐を介して音花火を炸裂させるとともに前記閉じスイッチをオンさせることを特徴とする。【００１０】さらに、本考案の防犯用品において、前記警報発生器の発音動作の電源となる電池をオンオフする開閉スイッチを本体外に突出させたことを特徴とする。
【考案の効果】
【００１１】本考案の防犯用品は、音花火発射口が形成された本体にカバンなどの物品と接続する取付け具を設け、前期本体には警報発生器と前記警報発生器の発音動作の電源となる電池と前記電池をオンする閉じスイッチを収納するとともに音花火発射口に対向した位置に音花火を収容した防犯用品であって、音花火を炸裂させるとともに前記閉じスイッチをオンさせる操作子を本体に設けているので、音花火が炸裂すると中のテープが飛び出し、警報音と同時に肉眼でも異常事態が察知できる。【００１２】さらに、前記操作子は巻き取り自在な紐を有し、前記紐を介して音花火を炸裂させるとともに前記閉じスイッチをオンさせているので、紐は通常は巻き取り自在な操作子の中に巻き込まれて収納されているため、引ったくりなどの異常事態のない通常の使用時や防犯ブザーとしての使用時には邪魔にならない。【００１３】さらに、前記警報発生器の発音動作の電源となる電池をオンオフする開閉スイッチを本体に設けているので、閉じスイッチとは別に、押すと警報発生器の動作確認検査または防犯ブザーとしても使用できる機能を備えており、引ったくり防止防犯ブザーの機能とは関係なく自分の存在を知らせたり救助を求めたり、人を呼んでいることを知らせたりすることが容易となり，防犯用器具としてのみでなく介護用品としても利用できる
【考案を実施するための最良の実施形態】
【００１４】以下、本考案の実施例を引ったくり防止防犯ブザーにて図面に基づいて説明する。図１及び図２は本実施形態に係る引ったくり防止防犯ブザーを示す斜視図であり、図３は図１に示す引ったくり防止防犯ブザーの底面斜視図であり、図４は図１の底面の底板を外して内部を示した図である。図５は回路概念図であり、図６は引ったくり防止防犯ブザーの全回路図である。
【００１５】図において、図１はこの考案の引ったくり防止防犯ブザーであって、本体１ａと、本体１ａの下部の底板１ｂで構成されており、底板１ｂには薄い箱状の電池ケース１ｇを備えており、本体１ａと底板１ｂは、それぞれ例えばＡＢＳ樹脂などの硬質プラスチックで構成されており、内部の空間に音花火２ａ、警報音発生器２、閉じスイッチ２ｄ、開閉スイッチ１ｃ、圧電ブザー素子２ｃなどが収納されている。
【００１６】図４に示すように、成型品で出来た長方形の本体１ａの内部には警報発生器２が取付けられており、この警報発生器２は所要の回路パターンを備えるもので、発振用ＩＣ３、増幅用トランジスタ４、整合用トランス５、警報音を発生する圧電素子ブザー２ｃ、開閉用スイッチ１ｃ、閉じスイッチ２ｄが実装されている。圧電素子ブザー２ｃには厚みの薄い扁平な形状の物が使用され、これに対応して本体１ａの側面には放音穴が適宣形成されている。また、警報発生器２には閉じスイッチ２ｄが取付けられており、通常はプリント基板のパターン面と閉じスイッチ端子２ｄは触れることのない様に、閉じスイッチ端子２ｄとプリントパターンの間には絶縁シート２ｆが挟んであり、この絶縁シート２ｆは音花火の紐２ｅとつながっており、この紐２ｅの先端はリールになっており、巻き取り自在な形状であり通常はリールケース内部に収納されているが、この紐２ｅが引っ張られて伸び切ると絶縁シート２ｆがプリント基板から外れて閉じスイッチ２ｄがオンになる構造になっている。
【００１７】図１で示すように開閉スイッチ１ｃは底板１ｂに取付けてあり開閉スイッチ１ｃの操作部は指先で押すことが出来るように、底板１ｂの表から若干突出するような状態で取付られており、操作部の開閉スイッチ１ｃを押すと開閉スイッチ１ｃがオンになり警報音が鳴る構造になっており、電池の消耗と警報音発生器２の検査も兼ねており、この開閉スイッチ１ｃと閉じスイッチ２ｄとは連動していない。操作子１ｅが強い引っ張り力で紐２ｅが伸び切ったときには、紐２ｅと連動した絶縁シート２ｆが外れ閉じスイッチ２ｄがオンになる。また、この紐２ｅの先には音花火２ａがつながっており音花火２ａが炸裂する構造になっている。
【００１８】以上の各構成部材は図５で示すように接続されて所要の警報機能回路を構成しており、電池１は電池ケース１ｇに収納されている電池１、なお、電池１については本体の大きさによりボタン電池などを使用してもよい。
【００１９】図６で示す回路図の詳細については、開閉スイッチ１ｃまたは、閉じスイッチ２ｄのいずれかのスイッチがオンになり、電池から電流が流れると発振回路が構成されているＩＣ２８１２Ｃで警報音が発生する。ＩＣ端子に接続されている７５ＫΩの抵抗は警報音の周期を決定するもので、ＩＣの出力端子３からの警報音の出力を１ＫΩの電流制限用抵抗器を通じて警報音をトランジスタ２ＳＣ２００１の回路で大きな音に増幅し、トランジスタの出力と圧電ブザー素子の結合を効率良くするために、整合用トランスＬ１、Ｌ２を用いて効率良く警報音の出力が圧電ブザー素子２ｃに伝達される。
【００２０】この例の引ったくり防止防犯ブザー１ａは上述のような構成であり、電池１をセットした状態で通常は使用される。開閉スイッチ１ｃは使用する前に電池及び警報音のテストをするためのものであり開閉スイッチ１ｃは通常はオフにして使用され、非常用スイッチ２ｄは非常時に紐２ｅを強く引っ張られた時にオンになるようになっており通常はオフにして使用し、また、紐２ｅを強く引っ張られたことにより音花火２ａが炸裂する。開閉スイッチ１ｃと閉じスイッチ２ｄは電気回路上は並列に接続されており、どちらかのスイッチがオンになっても発振用ＩＣ３、トランジスタ増幅４、整合用トランス５、圧電素子ブザー２ｃで構成されている警報機能の回路が動作して警報音を発生する。
【００２１】このため、外出時などにこの引ったくり防止防犯ブザーを貴重品のカバンなどの物品に固定しておくと、操作子１ｅに強い引っ張り力がかからないときは、警報発生器２や音花火２ａは動作しないが、操作子１ｅに強い引っ張り力がかかると警報音が鳴り、音花火２ａが炸裂し周囲の人に容易に気を引いてもらうことが可能となる。また、開閉スイッチ１ｃを押すことでも警報音だけではあるが、自分の存在を知らせ、助けを求めることも可能である。また、自宅において使用する時には必要に応じて開閉スイッチ１ｃを押して寝たきりの人が誰かを呼ぶ場合などにも利用することが出来る。
【図面の簡単な説明】
【００２２】
【図１】この考案の一実施例の右斜視図である。
【図２】この考案の一実施例の左斜視図である。
【図３】同実施例の底面図である。
【図４】同実施例の部品配置を上から見た内部部品配置図である。
【図５】同実施例の回路概念図である。
【図６】同実施例の回路図である。
【符号の説明】
【００２３】１ａ  本体
１ｂ  底板
１ｃ  開閉スイッチ
１ｄ  放音穴
１ｅ  操作子
１ｆ  取付け具
１ｇ  電池ケース
１ｈ  電池蓋
１    電池
２    警報音発生用基板
２ａ  音花火
２ｂ  音花火発射口
２ｃ  圧電ブザー素子
２ｄ  閉じスイッチ
２ｅ  紐
２ｆ  絶縁シート
【図１】
0003137547.tif 000003
【図２】
0003137547.tif 000004
【図３】
0003137547.tif 000005
【図４】
0003137547.tif 000006
【図５】
0003137547.tif 000007
【図６】
0003137547.tif 000008